(57)【要約】【課題】水溶性成分のみで海島構造を有する組成物を形成する技術を提供する。【解決手段】疎水性モノマーから誘導される１種又は２種以上の構成単位（ａ）と、親水性モノマーから誘導される１種又は２種以上の構成単位（ｂ）を必須構成単位として有する両親媒性コポリマーと、水溶性高分子及び／又はその塩と、水を含み、前記水の蒸発によって、前記水溶性高分子及び／又はその塩が形成する水性ゲル中に、前記両親媒性コポリマーを含む島粒子が分散する海島構造を有する被膜を形成することを特徴とする組成物。【選択図】図２
2016210919.tif 000002
【特許請求の範囲】
【請求項１】
疎水性モノマーから誘導される１種又は２種以上の構成単位（ａ）と、親水性モノマーから誘導される１種又は２種以上の構成単位（ｂ）を必須構成単位として有する両親媒性コポリマーと、水溶性高分子及び／又はその塩と、水を含み、
前記水の蒸発によって、前記水溶性高分子及び／又はその塩が形成する水性ゲル中に、前記両親媒性コポリマーを含む島粒子が分散する海島構造を有する被膜を形成することを特徴とする組成物。
【請求項２】
前記島粒子の平均長軸短軸比が０．８以上であり、平均粒子径が１〜５μｍの前記島粒子の個数粒度分布が８０％以上であることを特徴とする、請求項１に記載の組成物。
【請求項３】
前記水溶性高分子が、アクリル酸系水溶性ポリマー、水溶性ポリペプチド及び水溶性多糖からなる群から選ばれる１種又は２種以上の水溶性高分子であることを特徴とする、請求項１又は２に記載の組成物。
【請求項４】
前記水溶性高分子が、ポリアクリル酸ナトリウム、（アクリレーツ／アクリル酸アルキル（Ｃ１０−３０））クロスポリマー、ポリグルタミン酸ナトリウム、キサンタンガム及びシロキクラゲ多糖体からなる群から選ばれる１種又は２種以上の水溶性高分子であることを特徴とする、請求項３に記載の組成物。
【請求項５】
前記両親媒性コポリマーと前記水性ゲルの相分離を促進するポリオール及び／又は前記水性ゲルと前記両親媒性コポリマーの相分離を抑制するポリオールを含むことを特徴とする、請求項１〜４の何れか一項に記載の組成物。
【請求項６】
前記相分離を促進するポリオールが、親水性部分にポリエーテル鎖を持つ非イオン性界面活性剤の水溶液と混合することにより、該水溶液の曇点を上昇させるポリオールであり、
前記相分離を抑制するポリオールが、親水性部分にポリエーテル鎖を持つ非イオン性界面活性剤の水溶液と混合することにより、該水溶液の曇点を下降させるポリオールであることを特徴とする、請求項５に記載の組成物。
【請求項７】
前記相分離を促進するポリオールが１，３−ブチレングリコール、ポリエチレングリコールからなる群から選ばれる１種又は２種以上のポリオールであることを特徴とする、請求項６に記載の組成物。
【請求項８】
前記相分離を抑制するポリオールがグリセリン、ジグリセリン、ソルビトール、マルチトールからなる群から選ばれる１種又は２種以上のポリオールであることを特徴とする、請求項６又は７に記載の組成物。
【請求項９】
前記相分離を促進するポリオール及び前記相分離を抑制するポリオールの総量と、前記両親媒性コポリマー及び前記水溶性高分子の総量の質量比が、５：１〜２０：１であることを特徴とする、請求項６〜８の何れか一項に記載の組成物。
【請求項１０】
前記相分離を促進するポリオールと前記相分離を抑制するポリオールの質量比が３．５：１〜１：２．５であることを特徴とする、請求項６〜９の何れか一項に記載の組成物。
【請求項１１】
前記両親媒性コポリマーの含有量が０．１〜５質量％であることを特徴とする、請求項１〜１０の何れか一項に記載の組成物。
【請求項１２】
油剤の含有量が１質量％以下であることを特徴とする、請求項１〜１１の何れか一項に記載の組成物。
【請求項１３】
前記両親媒性コポリマーとして、下記Ａ群から選ばれる１種又は２種以上のコポリマーを含むことを特徴とする、請求項１〜１２の何れか一項に記載の組成物。
Ａ群：ポリクオタニウム―５１、ポリクオタニウム―６１、（メタクリル酸グリセリルアミドエチル／メタクリル酸ステアリル）コポリマー、及び下記一般式（Ｉ）、（ＩＩ）、（ＩＩＩ）から選ばれる疎水性モノマーから誘導される構成単位（ａ）を含むアクリル酸系両親媒性コポリマー
一般式（Ｉ）
【化１】
2016210919.tif 000029
（Ｉ）
（一般式（Ｉ）中Ｒ１は水素原子または炭素数１〜３のアルキル基を表し、Ｒ２は炭素数１３〜３０の環構造を含まない分岐状炭化水素基、または、環構造を含まない、２つ以上の分岐を有する炭素数６〜１２の炭化水素基を表す。）
一般式（ＩＩ）
【化２】
2016210919.tif 000030
（ＩＩ）
（一般式（ＩＩ）中Ｒ３は水素原子または炭素数１〜３のアルキル基を表し、Ｒ４，Ｒ５は同一でも異なっていてもよく、環構造を含まない、分岐を有する、炭素数６〜２２のアシル基を表す。Ｘは三価のアルコールからＯＨ基が脱離した基を表す。）
一般式（ＩＩＩ）
【化３】
2016210919.tif 000031
（ＩＩＩ）
（一般式（ＩＩＩ）中Ｒ６は水素原子または炭素数１〜３のアルキル基を表し、Ｒ７，Ｒ８，Ｒ９は同一でも異なっていてもよく、環構造を含まない、分岐を有する、炭素数６〜２２のアシル基を表す。Ｙは四価のアルコールからＯＨ基が脱離した基を表す。）
【請求項１４】
前記アクリル酸系両親媒性コポリマーが、下記Ｂ群から選ばれる１種又は２種以上の親水性モノマーから誘導される構成単位（ｂ）を含むことを特徴とする、請求項１３に記載の組成物。
Ｂ群：重合性カルボン酸、下記一般式（ＩＶ）で表されるコポリマー、下記一般式（ＶＩ）で表されるコポリマー、下記一般式（ＶＩＩ）で表されるコポリマー及び下記一般式（ＶＩＩＩ）で表されるコポリマー
一般式（ＩＶ）
【化４】
2016210919.tif 000032
（ＩＶ）
（一般式（ＩＶ）中Ｒ１０は水素原子または炭素数１〜３のアルキル基を表し、Ｒ１１は水酸基を有していてもよい炭素数２〜４のアルキレン基を表し、Ｒ１２は水素原子、炭素数６〜１０の芳香族炭化水素基、炭素数１〜１４の脂肪族炭化水素基又は炭素数１〜１２のアシル基を表す。ｎは６〜４０の整数を表す。）
一般式（ＶＩ）
【化５】
2016210919.tif 000033
（ＶＩ）
（一般式（ＶＩ）中Ｒ１５は水素原子またはメチル基をあらわす。）
一般式（ＶＩＩ）
【化６】
2016210919.tif 000034
（ＶＩＩ）
（一般式（ＶＩＩ）中Ｒ１６は水素原子またはメチル基を、Ｇ−Ｏ−は還元糖の１位の水酸基より水素を除いた基を表す。ｍは２又は３を、ｌは１〜５の整数を表す。）
一般式（ＶＩＩＩ）
【化７】
2016210919.tif 000035
（ＶＩＩＩ）
（一般式（ＶＩＩＩ）中Ｒ１７は水素原子またはメチル基を、Ｒ１８はアミノ酸残基、ポリアミン残基又はアミノアルコール残基を表す。Ｑは酸素原子又はＮＨで表される基を表す。）
【請求項１５】
前記アクリル酸系両親媒性コポリマーが、前記一般式（ＩＩ）で表される疎水性モノマーから誘導される構成単位（ａ）と、前記一般式（ＩＶ）で表される親水性モノマーから誘導される構成単位（ｂ）を含むことを特徴とする、請求項１４に記載の組成物。
【請求項１６】
水溶性高分子が形成する水性ゲル中に、両親媒性コポリマーを含む島粒子が分散する海島構造を有する被膜であって、
前記両親媒性コポリマーが、疎水性モノマーから誘導される１種又は２種以上の構成単位（ａ）と、親水性モノマーから誘導される１種又は２種以上の構成単位（ｂ）を必須構成単位として有することを特徴とする、被膜。
【請求項１７】
前記島粒子の平均長軸短軸比が０．８以上であり、平均粒子径が１〜５μｍの前記島粒子の個数粒度分布が８０％以上であることを特徴とする、請求項１６に記載の被膜。
【請求項１８】
請求項１６又は１７に記載の被膜を肌上に形成する方法であって、
疎水性モノマーから誘導される１種又は２種以上の構成単位（ａ）と、親水性モノマーから誘導される１種又は２種以上の構成単位（ｂ）を必須構成単位として有する両親媒性コポリマーと、水溶性高分子及び／又はその塩と、水を含む組成物を肌に塗布することを特徴とする、方法。
【請求項１９】
前記組成物が、前記両親媒性コポリマーと前記水性ゲルの相分離を促進するポリオール及び／又は前記水性ゲルと前記両親媒性コポリマーの相分離を抑制するポリオールを含むことを特徴とする、請求項１８に記載の方法。
【発明の詳細な説明】
【技術分野】
【０００１】
本発明は水性ゲルの海に両親媒性コポリマーの島粒子が分散している海島構造を有する被膜及びこれを形成する組成物に関する。
【背景技術】
【０００２】
海島構造とは、互いに非相溶な２種の高分子が相分離を起こし、一方の高分子を含む連続相（海相）に他方の高分子を含む分散相（島相）が点在している構造のことをいう。このように海島構造は相が分離した不均一な構造を持つことから、均一な構造を持った組成物とは異なった性質を有する。このような性質を利用しようと、海島構造についてはプラスチックやゴム、トナー、接着剤などに関する技術分野での研究開発が盛んに行われている。
例えば、特許文献１には熱可塑性樹脂を含む海相とポリウレタン系熱可塑性エラストマーを含む島相とを含む海島構造を有する被覆用混合物で被覆されているタイヤが開示されている。
しかし、化粧料分野において、海島構造を利用しようとする試みはこれまでになされていない。
【０００３】
ところで、特許文献２には、特定の疎水性のアクリルエステル系モノマーから誘導される構成単位と、特定の親水性のアクリル系モノマーから誘導される構成単位を有する両親媒性コポリマーを含有する皮膚外用剤が開示されている。
【先行技術文献】
【特許文献】
【０００４】
【特許文献１】特開２０１３−１８０６５２号公報
【特許文献２】特開２０１４−９１８９号公報
【発明の概要】
【発明が解決しようとする課題】
【０００５】
本発明の解決しようとする課題は、水溶性成分を主体とした海島構造を有する被膜及び該被膜を形成する技術を提供することにある。また、水溶性成分を主体とした被膜に、油剤を含むミルクのような感触を付与する技術を提供することを課題とする。好ましくは保湿性と柔軟性を両立する被膜及び該被膜を形成する技術を提供することを本発明の課題とする。
【課題を解決するための手段】
【０００６】
上記課題を解決する本発明は、疎水性モノマーから誘導される１種又は２種以上の構成単位（ａ）と、親水性モノマーから誘導される１種又は２種以上の構成単位（ｂ）を必須構成単位として有する両親媒性コポリマーと、水溶性高分子及び／又はその塩と、水を含み、
前記水の蒸発によって、前記水溶性高分子及び／又はその塩が形成する水性ゲル中に、前記両親媒性コポリマーを含む島粒子が分散する海島構造を有する被膜を形成することを特徴とする組成物である。
【０００７】
前記被膜は水溶性成分を主体とした海島構造を有しており、油剤を含むミルクのような感触を有する。本発明の組成物によれば、このような海島構造を有する被膜を肌上に形成することができる。
【０００８】
本発明の好ましい形態では、前記島粒子の平均長軸短軸比が０．８以上であり、平均粒子径が１〜５μｍの前記島粒子の個数粒度分布が８０％以上である。
このような構造的特徴を有する前記被膜は、保湿性と柔軟性に優れている。
そして、本発明の組成物は、肌に塗布することで、このような優れた性質を有する被膜を容易に形成することができる。
【０００９】
本発明の好ましい形態では、前記水溶性高分子が、アクリル酸系水溶性ポリマー、水溶性ポリペプチド及び水溶性多糖からなる群から選ばれる１種又は２種以上の水溶性高分子及び／又はその塩である。
このような水溶性高分子を含む形態とすることによって、組成物の成分の水溶性を向上、また、沈殿の発生を抑制することで、組成物の安定性を向上させることができる。
【００１０】
本発明の好ましい形態では、前記水溶性高分子が、ポリアクリル酸ナトリウム、（アクリレーツ／アクリル酸アルキル（Ｃ１０−３０））クロスポリマー、ポリグルタミン酸ナトリウム、キサンタンガム及びシロキクラゲ多糖体からなる群から選ばれる１種又は２種以上の水溶性高分子である。
このような水溶性高分子を含む形態とすることによって、組成物の安定性をより向上させることができる。
【００１１】
本発明の好ましい形態では、前記組成物が、前記水性ゲルと前記両親媒性コポリマーの相分離を促進するポリオール及び／又は前記水性ゲルと前記両親媒性コポリマーの相分離を抑制するポリオールを含む。
このようなポリオールを含むことによって、前記被膜の均一性を向上させることができる。
【００１２】
本発明の好ましい形態では、前記相分離を促進するポリオールが、親水性部分にポリエーテル鎖を持つ非イオン性界面活性剤の水溶液と混合することにより、該水溶液の曇点を上昇させるポリオールであり、
前記相分離を抑制するポリオールが、親水性部分にポリエーテル鎖を持つ非イオン性界面活性剤の水溶液と混合することにより、該水溶液の曇点を下降させるポリオールである。
このようなポリオールを含むことによって、前記被膜の均一性を向上させることができる。
【００１３】
本発明の好ましい形態では、前記相分離を促進するポリオールが１，３−ブチレングリコール、ポリエチレングリコールからなる群から選ばれる１種又は２種以上のポリオールである。
このようなポリオールを用いることにより、効果的に水性ゲルと両親媒性コポリマーの相分離を促すことができ、前記被膜の均一性を向上させることができる。
【００１４】
本発明の好ましい形態では、前記相分離を抑制するポリオールがグリセリン、ジグリセリン、ソルビトール、マルチトールからなる群から選ばれる１種又は２種以上のポリオールである。
このようなポリオールを用いることにより、効果的に水性ゲルと両親媒性コポリマーの相分離を促すことができ、前記被膜の均一性を向上させることができる。
【００１５】
本発明の好ましい形態では、前記相分離を促進するポリオール及び前記相分離を抑制するポリオールの総量と、前記両親媒性コポリマー及び前記水溶性高分子の総量の質量比が、５：１〜２０：１である。
このような形態とすることによって、前記被膜の均一性を向上させることができる。
【００１６】
本発明の好ましい形態では、前記相分離を促進するポリオールと前記相分離を抑制するポリオールの質量比が３．５：１〜１：２．５である。
このような形態とすることによって前記被膜の均一性を向上させることができる。
【００１７】
本発明の好ましい形態では、前記両親媒性コポリマーの含有量が０．１〜５質量％である。
両親媒性コポリマーの含有量を前記範囲とすることによって、より柔軟性のある感触に優れた前記被膜を形成することができる組成物とすることができる。
【００１８】
本発明の好ましい形態では、油剤の含有量が１質量％以下である。
このような形態とすることにより、べたつきの少ない前記被膜を形成することができる組成物とすることができる。
【００１９】
本発明の好ましい形態では、前記両親媒性コポリマーとして、下記Ａ群から選ばれる１種又は２種以上のコポリマーを含む。
【００２０】
Ａ群：ポリクオタニウム―５１、ポリクオタニウム―６１、（メタクリル酸グリセリルアミドエチル／メタクリル酸ステアリル）コポリマー、及び下記一般式（Ｉ）、（ＩＩ）、（ＩＩＩ）から選ばれる疎水性モノマーから誘導される構成単位（ａ）を含むアクリル酸系両親媒性コポリマー
【００２１】
一般式（Ｉ）
【化１】
2016210919.tif 000003
（Ｉ）
（一般式（Ｉ）中Ｒ１は水素原子または炭素数１〜３のアルキル基を表し、Ｒ２は炭素数１３〜３０の環構造を含まない分岐状炭化水素基、または、環構造を含まない、２つ以上の分岐を有する炭素数６〜１２の炭化水素基を表す。）
【００２２】
一般式（ＩＩ）
【化２】
2016210919.tif 000004
（ＩＩ）
（一般式（ＩＩ）中Ｒ３は水素原子または炭素数１〜３のアルキル基を表し、Ｒ４，Ｒ５は同一でも異なっていてもよく、環構造を含まない、分岐を有する、炭素数６〜２２のアシル基を表す。Ｘは三価のアルコールからＯＨ基が脱離した基を表す。）
【００２３】
一般式（ＩＩＩ）
【化３】
2016210919.tif 000005
（ＩＩＩ）
（一般式（ＩＩＩ）中Ｒ６は水素原子または炭素数１〜３のアルキル基を表し、Ｒ７，Ｒ８，Ｒ９は同一でも異なっていてもよく、環構造を含まない、分岐を有する、炭素数６〜２２のアシル基を表す。Ｙは四価のアルコールからＯＨ基が脱離した基を表す。）
【００２４】
このような両親媒性コポリマーを含む本発明の組成物は、ミルクのような感触がより強く、また、柔軟性により優れた前記被膜を形成することができる。
【００２５】
本発明の好ましい形態では、前記アクリル酸系両親媒性コポリマーが、下記Ｂ群から選ばれる１種又は２種以上の親水性モノマーから誘導される構成単位（ｂ）を含む。
【００２６】
Ｂ群：重合性カルボン酸、下記一般式（ＩＶ）で表されるコポリマー、下記一般式（ＶＩ）で表されるコポリマー、下記一般式（ＶＩＩ）で表されるコポリマー及び下記一般式（ＶＩＩＩ）で表されるコポリマー
【００２７】
一般式（ＩＶ）
【化４】
2016210919.tif 000006
（ＩＶ）
（一般式（ＩＶ）中Ｒ１０は水素原子または炭素数１〜３のアルキル基を表し、Ｒ１１は水酸基を有していてもよい炭素数２〜４のアルキレン基を表し、Ｒ１２は水素原子、炭素数６〜１０の芳香族炭化水素基、炭素数１〜１４の脂肪族炭化水素基又は炭素数１〜１２のアシル基を表す。ｎは６〜４０の整数を表す。）
【００２８】
一般式（ＶＩ）
【化５】
2016210919.tif 000007
（ＶＩ）
（一般式（ＶＩ）中Ｒ１５は水素原子またはメチル基をあらわす。）
【００２９】
一般式（ＶＩＩ）
【化６】
2016210919.tif 000008
（ＶＩＩ）
（一般式（ＶＩＩ）中Ｒ１６は水素原子またはメチル基を、Ｇ−Ｏ−は還元糖の１位の水酸基より水素を除いた基を表す。ｍは２又は３を、ｌは１〜５の整数を表す。）
【００３０】
一般式（ＶＩＩＩ）
【化７】
2016210919.tif 000009
（ＶＩＩＩ）
（一般式（ＶＩＩＩ）中Ｒ１７は水素原子またはメチル基を、Ｒ１８はアミノ酸残基、ポリアミン残基又はアミノアルコール残基を表す。Ｑは酸素原子又はＮＨで表される基を表す。）
【００３１】
このような親水性モノマーから誘導される構成単位（ｂ）を有する両親媒性コポリマーを含む本発明の組成物は、ミルクのような感触、また、柔軟性により優れた前記被膜を形成することができる。
【００３２】
本発明の好ましい形態では、前記アクリル酸系両親媒性コポリマーが、前記一般式（ＩＩ）で表される疎水性モノマーから誘導される構成単位（ａ）と、前記一般式（ＩＶ）で表される親水性モノマーから誘導される構成単位（ｂ）を含む。
このようなアクリル酸系両親媒性コポリマーを含む本発明の組成物によれば、より保湿性と柔軟性に優れた前記被膜を形成することができる。
【００３３】
また、本発明は水溶性高分子が形成する水性ゲル中に、両親媒性コポリマーを含む島粒子が分散する海島構造を有する被膜であって、
前記両親媒性コポリマーが、疎水性モノマーから誘導される１種又は２種以上の構成単位（ａ）と、親水性モノマーから誘導される１種又は２種以上の構成単位（ｂ）を必須構成単位として有することを特徴とする、被膜にも関する。
【００３４】
本発明の被膜は、水溶性成分を主体とした海島構造を有している。そして、水溶性成分を主体としているにも関わらず、油剤を含むミルクのような感触を有する。
【００３５】
本発明の好ましい形態では、前記島粒子の平均長軸短軸比が０．８以上であり、平均粒子径が１〜５μｍの前記島粒子の個数粒度分布が８０％以上である。
このような構造的特徴を有する前記被膜は、油剤を含むミルクのような感触に優れている。
【００３６】
また、本発明は、上述の本発明の被膜を形成する方法であって、
疎水性モノマーから誘導される１種又は２種以上の構成単位（ａ）と、親水性モノマーから誘導される１種又は２種以上の構成単位（ｂ）を必須構成単位として有する両親媒性コポリマーと、水溶性高分子及び／又はその塩と、水を含む組成物を肌に塗布することを特徴とする、方法にも関する。
本発明の方法によれば、前記被膜を容易に形成することができる。
【００３７】
また、本発明の好ましい形態では、前記組成物が、前記両親媒性コポリマーと前記水性ゲルの相分離を促進するポリオール及び／又は前記水性ゲルと前記両親媒性コポリマーの相分離を抑制するポリオールを含む。
このようなポリオールを含む水溶液を用いることによって、均一性に優れた前記被膜を形成することができる。
【発明の効果】
【００３８】
本発明によれば、水溶性成分を主とする海島構造を有する被膜及び該被膜を形成する技術を提供することができる。前記被膜は、水溶性成分を主とするにも関わらず、油剤を含むミルクのような感触を有する。
また、本発明の好ましい形態では、べたつきの無い前記被膜及び該被膜を形成する技術を提供することができる。
【図面の簡単な説明】
【００３９】
【図１】実施例１〜２１に含まれる、１，３−ブチレングリコール、グリセリン、キサンタンガムと（メタクリル酸メトキシＰＥＧ−２３／ジイソステアリン酸メタクリル酸グリセリル）コポリマーの総量の３成分系相図を示す。
【図２】実施例３、４、６、９、１１、１２、１３、１７、１８、２０、２１の組成物の顕微鏡写真を示す。
【図３】試験例１における実施例１の組成物の感触評価の結果を表す円グラフを示す。
【発明を実施するための形態】
【００４０】
＜1＞海島構造を有する被膜
海島構造とは、互いに非相溶な２種の高分子が相分離を起こし、一方の高分子を含む連続相に他方の高分子を含む分散相が点在している構造のことをいう。そして、海島構造における連続相は海相、分散相は島相と呼ばれ、分散相の粒子のことを島粒子という。
【００４１】
本発明の被膜は、両親媒性コポリマーを含む島粒子が、水溶性高分子が形成する水性ゲルを含む海相に分散する海島構造を有する。
そして、島粒子に含まれる両親媒性コポリマーは、必須の構成単位として構成単位（ａ）と構成単位（ｂ）を有する。
構成単位（ａ）は、疎水性モノマーから誘導される１種又は２種以上の構成単位であり、構成単位（ｂ）は親水性モノマーから誘導される１種又は２種以上の構成単位である。
このような構造的特徴を有する本発明の被膜は、水性成分を主とするにも関わらず、油剤を含むミルクのような感触を有する。
以下、本発明の被膜についてさらに詳述する。
【００４２】
＜１−１＞島粒子
本発明において海島構造の島粒子に含まれる両親媒性コポリマーは、前記疎水性モノマーから誘導される構成単位（ａ）と、前記親水性モノマーから誘導される構成単位（ｂ）を必須の構成単位として有する。
本発明における両親媒性コポリマーとしては、以下の（１）及び（２）で説明する疎水性モノマーと親水性モノマーから誘導される構成単位を含むコポリマーを用いることが好ましい。
【００４３】
（１）疎水性モノマー
本発明においては、前記一般式（Ｉ）、（ＩＩ）又は（ＩＩＩ）で表される疎水性モノマーから誘導される構成単位（以下、単に、「構成単位Ｉ」などと呼ぶこともある）の一種または二種以上を必須構成単位として含有する両親媒性コポリマー（アクリル酸系両親媒性コポリマーとも言う）を用いることが好ましい。
なお、本発明において、「モノマーから誘導される構成単位」とは、対応するモノマーが有する炭素−炭素不飽和結合が重合反応によって開裂して形成される構成単位を言う。
以下、一般式（Ｉ）、（ＩＩ）又は（ＩＩＩ）で表される疎水性モノマーについて説明する。
【００４４】
（１−１）一般式（Ｉ）で表される疎水性モノマー
前記一般式（Ｉ）において、Ｒ１は水素原子または炭素数１〜３のアルキル基を表し、Ｒ２は炭素数１３〜３０の環構造を含まない分岐状炭化水素基または、環構造を含まない、２つ以上の分岐を有する炭素数６〜１２の炭化水素基を表す。
ここで、Ｒ１で表されるアルキル基としては、メチル基、エチル基、プロピル基、イソプロピル基、シクロプロピル基等が例示できる。本発明において、Ｒ１は水素原子又はメチル基であることが好ましい。
【００４５】
また、Ｒ２で表される炭素数１３〜３０の環構造を含まない分岐状炭化水素基としては、1−メチルドデカニル基、１１−メチルドデカニル基、３−エチルウンデカニル基、３−エチル−４，５，６−トリメチルオクチル基、1−メチルトリデカニル基、1−ヘキシルオクチル基、２−ブチルデカニル基、２−ヘキシルオクチル基、４−エチル−１−イソブチルオクチル基、１−メチルペンタデカニル基、２−ヘキシルデカニル基、２−オクチルデカニル基、２−ヘキシルドデカニル基、１６−メチルヘプタデカニル基、９−メチルヘプタデカニル基、７−メチル−２−(３−メチルヘキシル)デカニル基、３，７，１１，１５−テトラ−メチルヘキサデカニル基、２−オクチルドデカニル基、２−デシルテトラデカニル基、２−ドデシルヘキサデカニル基等を例示することができる。
【００４６】
また、Ｒ２で表される、環構造を含まない、２つ以上の分岐を有する炭素数６〜１２の炭化水素基としては２，２−ジメチルブチル基、２，３−ジメチルブチル基、３，３−ジメチルブチル基、１，３−ジメチルブチル基、１，２，２−トリメチルプロピル基、１，１−ジメチルペンタニル基、１−イソプロピルブチル基、１−イソプロピル−２−メチルプロピル基、１，１−ジエチルプロピル基、１−エチル−１−イソプロピルプロピル基、２−エチル−４−メチルペンチル基、１−プロピル−２，２−ジメチルプロピル基、１，１、２−トリメチル−ペンチル基、１−イソプロピル−３−メチルブチル基、１，２−ジメチル−１−エチルブチル基、１，３−ジメチル−１−エチルブチル基、１−エチル−１−イソプロピル−プロピル基、１，１−ジメチルヘキシル基、１−メチル−１−エチルペンチル基、１−メチル−１−プロピルブチル基、１，４―ジメチルヘキシル基、１−エチル−３―メチルペンチル基、１，５―ジメチルヘキシル基、１−エチル−６−メチルヘプチル基、１，１，３，３−テトラメチルブチル基、１，２−ジメチル−１−イソプロピルプロピル基、３−メチル−１−（２，２−ジメチルエチル）ブチル基、１−イソプロピルヘキシル基、３．５．５−トリメチルヘキシル基、２−イソプロピル−５−メチルヘキシル基、１，５−ジメチル−１−エチルヘキシル基、３，７−ジメチルオクチル基、２，４，５−トリメチルヘプチル基、２，４，６−トリメチルヘプチル基、３，５−ジメチル−１−（２，２−ジメチルエチル）ヘキシル基等を例示することができる。
【００４７】
（１−２）一般式（ＩＩ）又は（ＩＩＩ）で表される疎水性モノマー
前記一般式（ＩＩ）及び（ＩＩＩ）において、Ｒ３、Ｒ６は水素原子または炭素数１〜３のアルキル基を表し、Ｒ４，Ｒ５、Ｒ７、Ｒ８、Ｒ９は同一でも異なっていてもよく、環構造を含まない、分岐を有する、炭素数６〜２２のアシル基を表す。Ｘは三価のアルコールからＯＨ基が脱離した基を表す。
【００４８】
ここで、Ｒ３、Ｒ６で表されるアルキル基としては、メチル基、エチル基、プロピル基、イソプロピル基、シクロプロピル基等が例示できる。本発明において、Ｒ３は水素原子又はメチル基であることが好ましい。
【００４９】
また、Ｒ４、Ｒ５、Ｒ７、Ｒ８、Ｒ９で表される環構造を含まない、分岐を有する炭素数６〜２２のアシル基としては、２−メチルペンタノイル基、３−メチルペンタノイル基、４−メチルペンタノイル基、２−エチルブタノイル基、２−エチルブタノイル基、２，２−ジメチルブタノイル基、３，３−ジメチルブタノイル基、２−メチルヘキサノイル基、４−メチルヘキサノイル基、５−メチルヘキサノイル基、２，２−ジメチルペンタノイル基、４，４−ジメチルペンタノイル基、２−メチルヘプタノイル基、２−エチルヘキシル基、２−プロピルペンタノイル基、２，２−ジメチルヘキサノイル基、２，２，３−トリメチルペンタノイル基、２−メチルオクタノイル基、３，３，５−トリメチルヘキサノイル基、２−メチルノナノイル基、４−メチルノナノイル基、８−メチルノナノイル基、４−エチルオクタノイル基、２−エチルオクタノイル基、２−ブチルヘキサノイル基、２−tert−ブチルヘキサノイル基、２，２−ジエチルヘキサノイル基、２，２−ジメチルオクタノイル基、３，７−ジメチルオクタノイル基、ネオデカノイル基、７−メチルデカノイル基、２−メチル−２−エチルオクタノイル基、２−メチルウンデカノイル基、１０−メチルウンデカノイル基、２，２ジメチルデカノイル基、２−エチルデカノイル基、２−ブチルオクタノイル基、ジエチルオクタノイル基、２−tert−ブチル−２，２，４−トリメチルペンタノイル基、１０−メチルドデカノイル基、３−メチルドデカノイル基、４−メチルドデカノイル基、１１−メチルドデカノイル基，１０−エチルウンデカノイル基、１２−メチルトリデカノイル基、２−ブチルデカノイル基、２−ヘキシルオクタノイル基、２−ブチル−２−エチルオクタノイル基、１２−メチルテトラデカノイル基、１４−メチルペンタデカノイル基、２−ブチルドデカノイル基、２−ヘキシルデカノイル基、１６−メチルヘプタデカノイル基、２，２−ジメチルヘキサノイル基、２−ブチルヘキサデカノイル基、２−ヘキシルドデカノイル基、２，４，１０，１４−テトラメチルペンタノイル基、１８−メチルノナデカノイル基、３，７，１１，１５−テトラ−メチルヘキサデカノイル基、１９−メチルエイコサノイル基等を例示することができる。
【００５０】
また、本発明の好ましい実施の形態では、一般式（ＩＩ）及び（ＩＩＩ）において、Ｒ４，Ｒ５、Ｒ７、Ｒ８、Ｒ９は同一でも異なっていてもよく、環構造を含まない、分岐を有する、炭素数１０〜２２のアシル基、または、環構造を含まない、２つ以上の分岐を有する炭素数６〜９のアシル基である。
【００５１】
このような、好ましい実施の形態におけるＲ４，Ｒ５、Ｒ７、Ｒ８、Ｒ９で表される、環構造を含まない、分岐を有する炭素数１０〜２２のアシル基としては、２−メチルノナノイル基、４−メチルノナノイル基、８−メチルノナノイル基、４−エチルオクタノイル基、２−エチルオクタノイル基、２−ブチルヘキサノイル基、２−tert−ブチルヘキサノイル基、２，２−ジエチルヘキサノイル基）、２，２−ジメチルオクタノイル基、３，７−ジメチルオクタノイル基、ネオデカノイル基）、７−メチルデカノイル基、２−メチル−２−エチルオクタノイル基、２−メチルウンデカノイル基、１０−メチルウンデカノイル基、２，２ジメチルデカノイル基、２−エチルデカノイル基、２−ブチルオクタノイル基、ジエチルオクタノイル基、２−tert−ブチル−２，２，４−トリメチルペンタノイル基、１０−メチルドデカノイル基、３−メチルドデカノイル基、４−メチルドデカノイル基、１１−メチルドデカノイル基，１０−エチルウンデカノイル基、１２−メチルトリデカノイル基、２−ブチルデカノイル基、２−ヘキシルオクタノイル基、２−ブチル−２−エチルオクタノイル基、１２−メチルテトラデカノイル基、１４−メチルペンタデカノイル基、２−ブチルドデカノイル基、２−ヘキシルデカノイル基、１６−メチルヘプタデカノイル基、２，２−ジメチルヘキサノイル基、２−ブチルヘキサデカノイル基、２−ヘキシルドデカノイル基、２，４，１０，１４−テトラメチルペンタノイル基、１８−メチルノナデカノイル基、３，７，１１，１５−テトラ−メチルヘキサデカノイル基、１９−メチルエイコサノイル基等を例示することができる。
【００５２】
また、好ましい実施の形態におけるＲ４、Ｒ５、Ｒ７、Ｒ８、Ｒ９で表される、環構造を含まない、２つ以上の分岐を有する炭素数６〜９のアシル基としては、２，２−ジメチルブタノイル基、３，３−ジメチルブタノイル基、２，２−ジメチルペンタノイル基、４，４−ジメチルペンタノイル基、２，２−ジメチルヘキサノイル基、２，２，３−トリメチルペンタノイル基、３，５，５−トリメチルヘキサノイル基等を例示することができる。
【００５３】
一般式（ＩＩ）においてＸで表される、三価アルコールから誘導される基は、三価アルコールから、ＯＨ基が離脱した基であれば特に限定されないが、グリセリン、トリメチロールプロパン、トリメチロールエタンからなる群から選択される三価アルコールから、ＯＨ基が離脱した基が好適に例示できる。
【００５４】
また、一般式（ＩＩＩ）においてＹで表される、四価アルコールから誘導される基は、四価アルコールから、ＯＨ基が離脱した基であれば特に限定されないが、ジグリセリン、ペンタエリスリトール、エリスリトール、Ｄ−トレイトール、Ｌ−トレイトールからなる群から選択される四価アルコールから、ＯＨ基が離脱した基が好適に例示できる。
【００５５】
本発明においては、構成単位ＩＩを含む両親媒性コポリマーを用いることが特に好ましい。
また、本発明のより好ましい実施の形態では、一般式（ＩＩ）で表される疎水性モノマーは、下記一般式（Ｖ）で表される疎水性モノマーである。
【００５６】
一般式（Ｖ）
【化８】
2016210919.tif 000010
（Ｖ）
（一般式（Ｖ）中Ｒ１３、Ｒ１４は、同一でも異なっていてもよく、環構造を含まない、分岐を有する、炭素数１６〜２２のアシル基を表す。Ｚは三価のアルコールからＯＨ基が脱離した基を表す。）
【００５７】
一般式（Ｖ）のＲ１３、Ｒ１４のアシル基の炭素数は１２〜２２、より好ましくは１４〜２０、さらに好ましくは１６〜２０である。
また、一般式（Ｖ）のＲ１３、Ｒ１４のアシル基の主鎖の炭素数は、好ましくは９〜２１、より好ましくは１２〜２０、さらに好ましくは１６〜１８である。
また、一般式（Ｖ）のＲ１３、Ｒ１４のアシル基における分岐の数は好ましくは１〜３、より好ましくは１又は２、さらに好ましくは１である。
さらに、一般式（Ｖ）のＲ１３、Ｒ１４のアシル基において、分岐鎖が結合する主鎖の炭素の位置番号は大きいほど好ましい。具体的には、分岐鎖は主鎖端部の炭素から、好ましくは１〜３個目の炭素、より好ましくは１又は２個目の炭素、さらに好ましくは１個目の炭素に結合していることが好ましい。
【００５８】
Ｒ１３、Ｒ１４として具体的には、１０−メチルウンデカノイル基、１０−メチルドデカノイル基、１１−メチルドデカノイル基，１０−エチルウンデカノイル基、１２−メチルトリデカノイル基、１２−メチルテトラデカノイル基、１４−メチルペンタデカノイル基、１６−メチルヘプタデカノイル基、２，４，１０，１４−テトラメチルペンタノイル基、１８−メチルノナデカノイル基、３，７，１１，１５−テトラ−メチルヘキサデカノイル基、１９−メチルエイコサノイル基等を好適に例示することができる。
【００５９】
一般式（Ｖ）においてＺで表される、三価アルコールから誘導される基は、三価アルコールから、ＯＨ基が離脱した基であれば特に限定されないが、グリセリン、トリメチロールプロパン、トリメチロールエタンからなる群から選択される三価アルコールから、ＯＨ基が離脱した基が好適に例示できる。
【００６０】
（２）親水性モノマー
本発明における親水性モノマーとしては、重合性カルボン酸、並びに前記一般式（ＩＶ）、下記一般式（ＶＩ）、下記一般式（ＶＩＩ）及び下記一般式（ＶＩＩＩ）で表される化合物を用いることができる。
【００６１】
（２−１）重合性カルボン酸
本発明において、重合性カルボン酸又はその塩としては、具体的には、アクリル酸、メタクリル酸、クロトン酸、イタコン酸、フマル酸及びそのナトリウム塩、カリウム塩、アンモニウム塩、アミン塩等が例示できる。これらの中では、重合性が高いことから、アクリル酸、メタクリル酸及びその塩が特に好ましい。本発明の両親媒性コポリマーに重合性のカルボン酸の塩から誘導される構成単位を導入する場合は重合性カルボン酸を予め塩となし、重合反応を行っても良いし、重合反応により、重合性カルボン酸から誘導される構成単位を両親媒性コポリマーに誘導した後、塩基により中和して塩となしてもよい。
【００６２】
（２−２）一般式（ＩＶ）で表される親水性モノマー
前記一般式（ＩＶ）中、Ｒ１０は水素原子または炭素数１〜３のアルキル基を表し、Ｒ１１は水酸基を有していてもよい炭素数２〜４のアルキレン基を表し、Ｒ１２は水素原子、炭素数６〜１０の芳香族炭化水素基、炭素数１〜１４の脂肪族炭化水素基又は炭素数１〜１２のアシル基を表す。ｎは６〜４０の整数を表す。
【００６３】
前記一般式（ＩＶ）においてＲ１０で表されるアルキル基としては、メチル基、エチル基、プロピル基、イソプロピル基、シクロプロピル基が例示できる。本発明において、Ｒ１０は水素原子又はメチル基であることが好ましい。
【００６４】
また、Ｒ１１で表されるアルキレン基としては、エチレン基、プロピレン基、イソプロピレン基、２−ヒドロキシプロピレン基、１−ヒドロキシ−２−メチルエチレン基、２−ヒドロキシ−１−メチルエチレン基などが例示できるが、これらのうち、好ましくはエチレン基又はプロピレン基であり、より好ましくはエチレン基である。 
【００６５】
また、Ｒ１２で表される基のうち、炭素数６〜１０の芳香族基としては、フェニル基、ベンジル基、メチルフェニル基、エチルフェニル基等が例示でき；炭素数１〜１４の脂肪族炭化水素基としては、メチル基、エチル基、ブチル基、ターシャリーブチル基、ヘキシル基、シクロへキシル基、オクチル基、２−エチルへキシル基、ラウリル基などが好適に例示でき；炭素数１〜１２のアシル基としては、フォルミル基、アセチル基、プロピオニル基、ブチリル基、イソブチリル基、バレリル基、ラウロイル基などが好適に例示できる。これらのうち、Ｒ５で表される基として好ましくは炭素数１〜１４の脂肪族炭化水素基であり、より好ましくは炭素数１〜１２のアルキル基である。
【００６６】
さらに、一般式（ＩＶ）におけるｎは６〜４０の数値範囲である。
【００６７】
前記一般式（ＩＶ）で表されるモノマーのうち、Ｒ１１がプロピレン基であるモノマーとして具体的には、ポリプロピレングリコール（９）モノアクリレート、ポリプロピレングリコール（１３）モノアクリレート、ポリプロピレングリコール（９）モノメタクリレート、ポリプロピレングリコール（１３）モノメタクリレート等が挙げられる。なお、括弧内の数字はＮを表す。これらのポリマーの多くは市販品として入手可能である。これら市販品としては、具体的には、商品名「ブレンマー」ＡＰ−４００、ＡＰ−５５０、ＡＰ−８００、ＰＰ−５００、ＰＰ−８００（いずれも日本油脂（株）製）等が例示できる。
【００６８】
前記一般式（ＩＶ）で表されるモノマーのうち、Ｒ１１がエチレン基であるモノマーとして具体的には、ポリエチレングリコール（１０）モノアクリレート、ポリエチレングリコール（８）モノメタクリレート、ポリエチレングリコール（２３）モノアクリレート、ポリエチレングリコール（２３）モノメタクリレート、メトキシポリエチレングリコール（９）アクリレート、メトキシポリエチレングリコール（９）メタクリレート、メトキシポリエチレングリコール（２３）メタクリレート、オレイロキシポリエチレングリコール（１８）メタクリレート、ラウロキシポリエチレングリコール（１８）アクリレート、ラウロイロキシポリエチレングリコール（１０）メタクリレート、ステアロキシポリエチレングリコール（３０）モノメタクリレート等が挙げられる。
【００６９】
上述の親水性モノマーは、対応するポリエチレングリコール、ポリエチレングリコールモノエーテル、ポリエチレングリコールモノエステルとアクリル酸又はメタクリル酸のクロライド又は無水物とのエステル化反応により高収率で得ることができる。また、既に市販品も多数存在するので、かかる市販品を利用することも可能である。このような市販品としては、具体的に、商品名ブレンマー、ＡＥ−４００、ＰＥ−３５０、ＡＭＥ−４００、ＰＭＥ−４００、ＰＭＥ−１０００、ＡＬＥ−８００、ＰＳＥ−１３００等（いずれも日本油脂（株）製）等が例示できる。
【００７０】
（２−３）一般式（ＶＩ）で表される親水性モノマー
本発明における親水性モノマーとして、下記一般式（ＶＩ）で表される親水性モノマーを用いても良い。
【００７１】
（一般式ＶＩ）
【化９】
2016210919.tif 000011
（ＶＩ）
（一般式（ＶＩ）中Ｒ１５は水素原子またはメチル基をあらわす。）
【００７２】
前記一般式（ＶＩ）で表される親水性モノマーとして具体的には、２−アクリロイルオキシエチルホスホリルコリン（ＡＰＣ）、２−メタクリロイルオキシエチルホスホリルコリン（ＭＰＣ）が挙げられる。これらのモノマーは、例えば、Polymer Journal, Vol22, No.5 記載の以下の方法により、合成が可能である。
＜合成法＞
2−ブロモエチルホスホリルジクロリドと２−ヒドロキシエチルメタクリレート又は２−ヒドロキシエチルアクリレートとを反応させ、２−メタクリロイルオキシエチル−２‘−ブロモエチルリン酸又は２−アクリロイルオキシエチル−２‘−ブロモエチルリン酸を得た後、これら化合物とトリエチルアミンをメタノール中で反応させる。
【００７３】
（２−４）一般式（ＶＩＩ）で表される親水性モノマー
本発明における親水性モノマーとして、下記一般式（ＶＩＩ）で表される親水性モノマーを用いても良い。
【００７４】
一般式（ＶＩＩ）
【化１０】
2016210919.tif 000012
（ＶＩＩ）
（一般式（ＶＩＩ）中Ｒ１６は水素原子またはメチル基を、Ｇ−Ｏ−は還元糖の１位の水酸基より水素を除いた基を表す。ｍは２又は３を、ｌは１〜５の整数を表す。）
【００７５】
一般式（ＶＩＩ）で表される親水性モノマーにおいて、Ｇ−Ｏ−で表される還元糖の１位の水酸基より水素を除いた基の還元糖としては、具体的には、グルコース、マンノース、ガラクトース、アラビノース、キシロース、リボースなどの単糖、マルトース、ラクトース、セロビオース等の２糖、マルトトリオース等の３糖、マルトオリゴ糖等のオリゴ糖からなる群から選択される一種または二種以上が例示されるが、中でも、グルコース、ガラクトース、アラビノース、キシロース、リボース、マルトース、ラクトースセロビオースからなる群から選択される一種または二種以上が好ましく、グルコースが特に好ましい。また、一般式（ＶＩＩ）で表されるモノマーとしては、グルコシルオキシエチルメタクリレート（以下ＧＥＭＡと省略する。）またはグルコシルオキシエチルアクリレート（以下ＧＥＡと省略する。）が好ましい。
【００７６】
（２−５）一般式（ＶＩＩＩ）で表される親水性モノマー
本発明における親水性モノマーとして、下記一般式（ＶＩＩＩ）で表される親水性モノマーを用いても良い。
【００７７】
一般式（ＶＩＩＩ）
【化１１】
2016210919.tif 000013
（ＶＩＩＩ）
（一般式（ＶＩＩＩ）中Ｒ１７は水素原子またはメチル基を、Ｒ１８はアミノ酸残基、ポリアミン残基又はアミノアルコール残基を表す。Ｑは酸素原子又はＮＨで表される基を表す。）
【００７８】
一般式（ＶＩＩＩ）のモノマーにおいて、Ｒ１８で表されるアミノ酸残基のアミノ酸としては、通常知られているアミノ酸であれば、特に限定されず、具体的には、グリシン、アラニン、グルタミン、リジン、アルギニン等が例示される。これらのうちでは、得られる両親媒性コポリマーが、皮膚バリアーの回復効果に優れるので、リジン残基が特に好ましい。
【００７９】
また、Ｒ１８で表されるポリアミン残基におけるポリアミンとは、同一分子内にアルキル基で置換されていても良いアミノ基を２個以上有するアミンを意味し、具体的には、ジアミン、トリアミン、テトラアミン又はこれらのアミノ基の水素原子がアルキル基で置換されているアミンが例示される。これらのうちでは、得られる両親媒性コポリマーを含有する皮膚外用剤の使用感が特に優れることから、ジアミンが好ましく、特に好ましい具体例として、合成する際の原料の入手の容易さから、エチレンジアミン、１，４−ジアミノ−ｎ−ブタン、１，６−ジアミノ−ｎ−ヘキサン等が挙げられる。
【００８０】
さらに、Ｒ１８で表されるアミノアルコール残基におけるアミノアルコールとは、同一分子内にアルキル基で置換されていても良いアミノ基及びアルコール性の水酸基を有する化合物を意味する。アミノアルコールとしては、通常知られているものであれば、特に限定はされないが、具体例としては、エタノールアミン、トリエチルアミノエタノール等が例示される。
【００８１】
一般式（ＶＩＩＩ）で表されるモノマーの塩としては、特に限定はされないが、具体的には、酸部分を塩基で中和した、ナトリウム塩、カリウム塩、アンモニウム塩、アミン塩等、また、アミノ基部分を酸で中和した、塩酸塩、硫酸塩、硝酸塩、リン酸塩、クエン酸塩、蓚酸塩、炭酸塩等が例示できる。本発明の両親媒性コポリマーに一般式（ＶＩＩＩ）で表されるモノマーの塩から誘導される構成単位を導入する場合は一般式（ＶＩＩＩ）で表されるモノマーを予め塩となし、重合反応を行っても良いし、重合反応により、一般式（ＶＩＩＩ）で表されるモノマーから誘導される構成単位を両親媒性コポリマーに誘導した後、中和して塩となしてもよい。
【００８２】
一般式（ＶＩＩＩ）で表されるモノマー、その塩の具体例としては、以下の構造を有する化合物、その塩が好適に例示できる。
【００８３】
【化１２】
2016210919.tif 000014
【００８４】
【化１３】
2016210919.tif 000015
【００８５】
【化１４】
2016210919.tif 000016
【００８６】
【化１５】
2016210919.tif 000017
【００８７】
【化１６】
2016210919.tif 000018
【００８８】
【化１７】
2016210919.tif 000019
【００８９】
【化１８】
2016210919.tif 000020
【００９０】
【化１９】
2016210919.tif 000021
【００９１】
【化２０】
2016210919.tif 000022
【００９２】
【化２１】
2016210919.tif 000023
【００９３】
【化２２】
2016210919.tif 000024
【００９４】
一般式（ＶＩＩＩ）で表される親水性モノマーは、例えば、下記に示すように（メタ）アクリル酸、（メタ）アクリル酸クロライドを用いたエステル化反応、アミド化反応により合成可能である。
【化２３】
2016210919.tif 000025
【化２４】
2016210919.tif 000026
（反応式中Ｒ１７は水素原子またはメチル基を、Ｒ１８はアミノ酸残基、ポリアミン残基又はアミノアルコール残基を表す。Ｑは酸素原子又はＮＨで表される基を表す。）
【００９５】
上述の通り、本発明において親水性ポリマーとしては、前記一般式（ＩＶ）、前記一般式（ＶＩ）、前記一般式（ＶＩＩ）、及び前記一般式（ＶＩＩＩ）を用いることができる。
本発明の好ましい実施の形態では、両親媒性コポリマーは前記一般式（ＩＶ）から誘導される構成単位ＩＶを含む。
【００９６】
（３）両親媒性コポリマー
本発明においては、構成単位ＩＩと構成単位ＩＶを有するアクリル酸系両親媒性コポリマーを好ましく用いることができる。また、より好ましくは構成単位Ｖと構成単位ＩＶを有するアクリル酸系両親媒性コポリマーを用いる。
このようなアクリル酸系両親媒性コポリマーのうち、特に好ましくは（メタクリル酸メトキシＰＥＧ−２３／ジイソステアリン酸メタクリル酸グリセリル）コポリマーを用いる。
このようなアクリル酸系両親媒性コポリマーを含有することにより、被膜の保湿性と柔軟性を向上させることができる。
【００９７】
（メタクリル酸メトキシＰＥＧ−２３／ジイソステアリン酸メタクリル酸グリセリル）コポリマーは、構成単位（ａ）として、前記一般式（Ｖ）で表される疎水性モノマーのうち、Ｒ１３、Ｒ１４が１６−メチルヘプタデカノイル基である疎水性モノマーから誘導される構成単位（ａ）を主として含む。
また、構成単位（ｂ）として、前記一般式（ＩＶ）で表される親水性モノマーのうち、Ｒ１０がメチル基、Ｒ１１がエチレン基、Ｒ１２がメチル基、ｎが２３である親水性モノマーから誘導される構成単位（ｂ）を主として含む。
【００９８】
本発明における両親媒性コポリマーとしては、上述のコポリマー以外にも、既存のコポリマーを用いることができる。具体的には、両親媒性コポリマーとしては以下に挙げる既存のコポリマーを用いることができる。
すなわち、ポリクオタニウム―５１（２−メタクリロイルオキシエチルホスホリルコリンとメタクリル酸ブチルをおよそ８：２のモル比で含む共重合体）、ポリクオタニウム―６１（２−メタクリロイルオキシエチルホスホリルコリンとメタクリル酸ステアリルをおよそ３：７のモル比で含む共重合体）、（メタクリル酸グリセリルアミドエチル／メタクリル酸ステアリル）コポリマー（グリセリル−Ｎ−（２−メタクリロイルオキシエチル）カルバメートとメタクリル酸ステアリルをおよそ６：４のモル比率で含む、重量平均分子量約４００００の共重合体）、ＰＥＧ／ＰＰＧ／ポリブチレングリコール−８／５／３グリセリン、（加水分解シルク／ＰＧプロピルメチルシランジオール）クロスポリマー（Ｎ−〔２−ヒドロキシ−３−〔３−（ヒドロキシメチルシリル）プロポキシ〕プロピル〕加水分解シルクをシリル化した共重合体）、（エイコサン二酸／テトラデカン二酸）ポリグリセリル−１０（エイコサン二酸，テトラデカン二酸の二塩基酸と平均重合度が１０のポリグリセリンからなるオリゴマーエステル）、（グリセリン／オキシブチレン）コポリマーステアリル（ステアリルアルコールにグリシドール及びテトラヒドロフランを同時に反応させ、付加重合した、ＨＬＢが１８．０の重合体）、ポリクオタニウム―７（塩化ジメチルジアリルアンモニウムとアクリルアミドの共重合体）、ポリクオタニウム―３９（アクリル酸、塩化ジメチルジアリルアンモニウム及びアクリルアミドターポリマー）、（アクリル酸Ｎａ／アクリロイルジメチルタウリン）コポリマー（アクリル酸ナトリウムとアクリロイルジメチルタウリン酸ナトリウムとの共重合体）等の既存のコポリマーを用いることができる。
これらのうち、ポリクオタニウム―５１、ポリクオタニウム―６１、（メタクリル酸グリセリルアミドエチル／メタクリル酸ステアリル）コポリマーを特に好適に例示することができる。
【００９９】
本発明においては、両親媒性コポリマーにおける、構成単位（ａ）の全構成単位に占める割合は、好ましくは１〜５０質量％、より好ましくは５〜４０質量％、１０〜３０質量％である。
両親媒性コポリマーにおける、構成単位（ａ）が占める割合を前記範囲とすることによって、本発明の被膜の保湿性と柔軟性を向上させることができる。
【０１００】
本発明においては、両親媒性コポリマーにおける、構成単位（ｂ）の全構成単位に占める割合は、好ましくは５０〜９９質量％、より好ましくは６０〜９５質量％、７０〜９０質量％である。
両親媒性コポリマーにおける、構成単位（ｂ）が占める割合を前記範囲とすることによって、本発明の被膜の保湿性と柔軟性を向上させることができる。
【０１０１】
本発明においては、両親媒性コポリマーを構成する、構成単位（ａ）と構成単位（ｂ）の質量比は、好ましくは５：９５〜５０：５０、より好ましくは１０：９０〜４５：５５、さらに好ましくは２０：８０〜４０：６０、さらに好ましくは２５：７５〜３５：６５である。
両親媒性コポリマーにおける構成単位（ａ）及び構成単位（ｂ）の質量比を前記範囲とすることによって、本発明の被膜の保湿性と柔軟性を向上させることができる。
【０１０２】
本発明においては、両親媒性コポリマーを構成する、構成単位（ａ）と構成単位（ｂ）のモル比は、好ましくは８：９２〜６２：３８、より好ましくは１５：８５〜５７：４３、さらに好ましくは２９：７１〜５２：４８、さらに好ましくは３５：６５〜４６：５４である。
両親媒性コポリマーにおける構成単位（ａ）及び構成単位（ｂ）のモル比を前記範囲とすることによって、本発明の被膜の保湿性と柔軟性を向上させることができる。
【０１０３】
本発明においては、両親媒性コポリマーの平均分子量は、好ましくは２００００〜１１００００、より好ましくは２００００〜８００００、より好ましくは３００００〜８００００、より好ましくは４００００〜７００００、さらに好ましくは５００００〜７００００、さらに好ましくは５７０００〜６６０００である。
両親媒性コポリマーの分子量を前記範囲とすることによって、本発明の被膜の弾力性を向上させ、また、べたつき感を抑制することができる。
なお、ここで平均分子量とは、ＧＰＣにより測定したポリスチレン換算の重量平均分子量のことをいう。
【０１０４】
＜１−２＞海相
上述の島粒子は水性ゲルの海相に分散する。本発明において、水性ゲルは水溶性高分子及び／又はその塩と、該水溶性高分子に抱水された水により形成される。
水性ゲルを形成する水溶性高分子及び／又はその塩としては、両親媒性コポリマーを含む相を島粒子として分散させることができれば特に限定されないが、好ましくはアクリル酸系水溶性ポリマー、水溶性ポリペプチド及び水溶性多糖からなる群から選ばれる１種又は２種以上の水溶性高分子及び／又はその塩を用いることができる。
【０１０５】
前記アクリル酸系水溶性ポリマーとしては、非架橋型アクリル酸系重合体、または、架橋されていてもよいアクリル酸系共重合体を特に好ましく例示できる。また、前記非架橋型アクリル酸系重合体としてはポリアクリル酸ナトリウムが好ましく例示でき、前記架橋されていてもよいアクリル酸系共重合体としてはポリアクリル酸ナトリウム、（アクリレーツ／アクリル酸アルキル（Ｃ１０−３０））クロスポリマーを好ましく例示することができる。
前記水溶性ポリペプチドとしては、ポリグルタミン酸ナトリウムを好ましく例示することができる。
前記水溶性多糖としては、キサンタンガムやシロキクラゲ多糖体を好ましく例示することができる。特に好ましくは水溶性多糖としてキサンタンガムを用いる。
このような水溶性高分子及び／又はその塩を用いることによって、本発明の被膜の保湿性と柔軟性を向上させることができる。
【０１０６】
＜１−３＞海島構造
本発明の被膜は、水性ゲルを含む海相に両親媒性コポリマーを含む島相が分散する海島構造を有する。
本発明の海島構造を有する被膜においては、海相と島相の面積比は、好ましくは２：８〜１０：１、より好ましくは３：７〜９：１、さらに好ましくは６：４〜７：３である。
海相と島相の面積比が前記範囲である本発明の被膜は、弾力性に優れ、べたつきが少なく、保湿性と柔軟性に優れている。
【０１０７】
本発明の好ましい実施の形態では、島粒子の平均長軸短軸比が、好ましくは０．６以上、より好ましくは０．７以上、さらに好ましくは０．８以上、さらに好ましくは０．９以上である。
島粒子の平均長軸短軸比を前記範囲とすることによって、本発明の被膜の保湿性と柔軟性を向上させることができる。
なお、平均長軸短軸比は組成物を顕微鏡観察することによって測定することができる。具体的には、組成物を顕微鏡観察し、１００個の島粒子の長軸短軸比を測定し、これを相加平均することによって求めることができる。
【０１０８】
また、本発明の好ましい実施の形態では、被膜中に含まれる全島粒子における、長軸短軸比が０．６未満、より好ましくは０．７未満、より好ましくは０．８未満の島粒子の存在比率が１０％以下である。
また、本発明のより好ましい実施の形態では、組成物中に含まれる全島粒子における、長軸短軸比が０．８未満の島粒子の存在比率が５％以下、より好ましくは１％以下である。
このような実施の形態の本発明の被膜は、保湿性と柔軟性により優れる。
【０１０９】
本発明の好ましい実施の形態では、平均粒子径が０．５〜１０μｍの島粒子、より好ましくは平均粒子径が１〜５μｍの島粒子の個数粒度分布が８０％以上である。
また、本発明のさらに好ましい実施の形態では、平均粒子径が１〜５μｍの島粒子の個数粒度分布が８５％以上、より好ましくは９０％以上である。
このような小さい粒子径の島粒子の個数粒度分布を前記範囲とすることによって、本発明の被膜の保湿性と柔軟性をより向上させることができる。
なお、島粒子の平均粒子径は組成物を顕微鏡観察することによって測定することができる。具体的には、組成物を顕微鏡観察によって島粒子の長軸と短軸を測定し、これを相加平均することによって求めることができる。
【０１１０】
本発明の被膜は、通常皮膚外用剤で使用される任意の成分を含有することができる。このような成分としては、オイル・ワックス類、炭化水素類、高級脂肪酸類、高級アルコール類、合成エステル油類、シリコーン系油剤類、界面活性剤類、多価アルコール類、保湿成分類、増粘剤、粉体類、無機顔料類、有機色素類、有機粉体類、紫外線吸収剤類、低級アルコール類、ビタミン類、生体類似構造を有するポリマー等が挙げられる。
【０１１１】
オイル・ワックス類としては、例えばマカデミアナッツ油、アボガド油、トウモロコシ油、オリーブ油、ナタネ油、ゴマ油、ヒマシ油、サフラワー油、綿実油、ホホバ油、ヤシ油、パーム油、液状ラノリン、硬化ヤシ油、硬化油、モクロウ、硬化ヒマシ油、ミツロウ、キャンデリラロウ、カルナウバロウ、イボタロウ、ラノリン、還元ラノリン、硬質ラノリン、ホホバロウ等が挙げられ、
炭化水素類としては、例えば流動パラフィン、スクワラン、プリスタン、オゾケライト、パラフィン、セレシン、ワセリン、マイクロクリスタリンワックス等が挙げられる。
【０１１２】
高級脂肪酸類としては、例えばオレイン酸、イソステアリン酸、ラウリン酸、ミリスチン酸、パルミチン酸、ステアリン酸、ベヘン酸、ウンデシレン酸等が挙げられ、
高級アルコール類としては、例えばセチルアルコール、ステアリルアルコール、イソステアリルアルコール、ベヘニルアルコール、オクチルドデカノール、ミリスチルアルコール、セトステアリルアルコール等が挙げられ、
合成エステル油類としては、例えばイソオクタン酸セチル、ミリスチン酸イソプロピル、イソステアリン酸ヘキシルデシル、アジピン酸ジイソプロピル、セバチン酸ジ−２−エチルヘキシル、乳酸セチル、リンゴ酸ジイソステアリル、ジ−２−エチルヘキサン酸エチレングリコール、ジカプリン酸ネオペンチルグリコール、ジ−２−ヘプチルウンデカン酸グリセリン、トリ−２−エチルヘキサン酸グリセリン、トリ−２−エチルヘキサン酸トリメチロールプロパン、トリイソステアリン酸トリメチロールプロパン、テトラ−２−エチルヘキサン酸ペンタンエリトリット等が挙げられ、
シリコーン系油剤類としては、例えばジメチルポリシロキサン、メチルフェニルポリシロキサン、ジフェニルポリシロキサン等の鎖状ポリシロキサン、オクタメチルシクロテトラシロキサン、デカメチルシクロペンタシロキサン、ドデカメチルシクロヘキサンシロキサン等の環状ポリシロキサン、アミノ変性ポリシロキサン、ポリエーテル変性ポリシロキサン、アルキル変性ポリシロキサン、フッ素変性ポリシロキサン等の変性ポリシロキサン等のシリコーン油等が挙げられる。
【０１１３】
界面活性剤類は、アニオン界面活性剤類、非イオン界面活性剤類のいずれでもよい。
アニオン界面活性剤類としては、例えば脂肪酸セッケン（ラウリン酸ナトリウム、パルミチン酸ナトリウム等）、ラウリル硫酸カリウム、アルキル硫酸トリエタノールアミンエーテル等が挙げられ、
非イオン界面活性剤類としては、例えばソルビタン脂肪酸エステル類（ソルビタンモノステアレート、セスキオレイン酸ソルビタン等）、グリセリン脂肪酸類（モノステアリン酸グリセリン等）、プロピレングリコール脂肪酸エステル類（モノステアリン酸プロピレングリコール等）、硬化ヒマシ油誘導体、グリセリンアルキルエーテル、ＰＯＥソルビタン脂肪酸エステル類（ＰＯＥソルビタンモノオレエート、モノステアリン酸ポリオキエチレンソルビタン等）、ＰＯＥソルビット脂肪酸エステル類（ＰＯＥ−ソルビットモノラウレート等）、ＰＯＥグリセリン脂肪酸エステル類（ＰＯＥ−グリセリンモノイソステアレート等）、ＰＯＥ脂肪酸エステル類（ポリエチレングリコールモノオレート、ＰＯＥジステアレート等）、ＰＯＥアルキルエーテル類（ＰＯＥ２−オクチルドデシルエーテル等）、ＰＯＥアルキルフェニルエーテル類（ＰＯＥノニルフェニルエーテル等）、プルロニック型類、ＰＯＥ・ＰＯＰアルキルエーテル類（ＰＯＥ・ＰＯＰ２−デシルテトラデシルエーテル等）、テトロニック類、ＰＯＥヒマシ油・硬化ヒマシ油誘導体（ＰＯＥヒマシ油、ＰＯＥ硬化ヒマシ油等）、ショ糖脂肪酸エステル、アルキルグルコシド等が挙げられる。
【０１１４】
多価アルコール類としては、例えばポリエチレングリコール、エリスリトール、キシリトール、プロピレングリコール、ジプロピレングリコール、イソプレングリコール、１，２−ペンタンジオール、２，４−ヘキシレングリコール、１，２−ヘキサンジオール、１，２−オクタンジオール等が挙げられ、
保湿成分類としては、例えばピロリドンカルボン酸ナトリウム、乳酸、乳酸ナトリウム等が挙げられ、
増粘剤としては、例えばグアガム、クインスシード、カラギーナン、ガラクタン、アラビアガム、ペクチン、マンナン、デンプン、カードラン、メチルセルロース、ヒドロキシエチルセルロース、カルボキシメチルセルロース、メチルヒドロキシプロピルセルロース、コンドロイチン硫酸、デルマタン硫酸、グリコーゲン、ヘパラン硫酸、ヒアルロン酸、ヒアルロン酸ナトリウム、トラガントガム、ケラタン硫酸、コンドロイチン、ムコイチン硫酸、ヒドロキシエチルグアガム、カルボキシメチルグアガム、デキストラン、ケラト硫酸，ローカストビーンガム，サクシノグルカン，カロニン酸，キチン，
キトサン、カルボキシメチルキチン、寒天、ポリビニルアルコール、ポリビニルピロリドン、カルボキシビニルポリマー、ポリエチレングリコール、ベントナイト等が挙げられる。
【０１１５】
粉体類としては、表面を処理されていても良い、マイカ、タルク、カオリン、合成雲母、炭酸カルシウム、炭酸マグネシウム、無水ケイ酸（シリカ）、酸化アルミニウム、硫酸バリウム等が挙げられ、
無機顔料類としては、例えば、表面を処理されていても良い、ベンガラ、黄酸化鉄、黒酸化鉄、酸化コバルト、群青、紺青、酸化チタン、酸化亜鉛等が挙げられ、
有機色素類としては、表面を処理されていても良い、雲母チタン、魚燐箔、オキシ塩化ビスマス等のパール剤類、レーキ化されていても良い赤色２０２号、赤色２２８号、赤色２２６号、黄色４号、青色４０４号、黄色５号、赤色５０５号、赤色２３０号、赤色２２３号、橙色２０１号、赤色２１３号、黄色２０４号、黄色２０３号、青色１号、緑色２０１号、紫色２０１号、赤色２０４号等が挙げられ、
有機粉体類としては、例えばポリエチレン末、ポリメタクリル酸メチル、ナイロン粉末、オルガノポリシロキサンエラストマー等が挙げられる。
【０１１６】
紫外線吸収剤類としては、例えばパラアミノ安息香酸系紫外線吸収剤、アントラニル酸系紫外線吸収剤、サリチル酸系紫外線吸収剤、桂皮酸系紫外線吸収剤、ベンゾフェノン系紫外線吸収剤、糖系紫外線吸収剤、２−（２’−ヒドロキシ−５’−ｔ−オクチルフェニル)ベンゾトリアゾール、４−メトキシ−４’−ｔ−ブチルジベンゾイルメタン等が挙げられ、
低級アルコール類としては、例えばエタノール、イソプロパノール、フェノキシエタノール等が挙げられ、
ビタミン類としては、例えばビタミンＡ又はその誘導体、ビタミンＢ６塩酸塩、ビタミンＢ６トリパルミテート、ビタミンＢ６ジオクタノエート、ビタミンＢ２又はその誘導体、ビタミンＢ１２、ビタミンＢ１５又はその誘導体等のビタミンＢ類、α−トコフェロール、β−トコフェロール、γ−トコフェロール、ビタミンＥアセテート等のビタミンＥ類、ビタミンＤ類、ビタミンＨ、パントテン酸、パンテチン、ピロロキノリンキノン等が好ましく例示できる。
生体類似構造を有するポリマーとしては、例えばポリメタクリロイルリジン、ポリグリコシルエチルメタクリレート等が例示できる。
【０１１７】
本発明においては、オイル・ワックス類、炭化水素類、高級脂肪酸類、高級アルコール類、合成エステル油類、シリコーン系油剤類などの油剤の含有量は、好ましくは１０質量％以下、より好ましくは５質量％以下、さらに好ましくは２．５質量％以下、さらに好ましくは２質量％以下、さらに好ましくは１質量％以下、さらに好ましくは０．５質量％以下とする。
また、本発明の好ましい実施の形態では、油剤を含有しない。
本発明の海島構造を有する被膜は、水性成分を主体とするにも関わらず、油剤を含むミルクのような使用感を発揮することができる。
そのため、本発明の海島構造を有する被膜は、オイルフリーの形態とすることができる。
【０１１８】
また、本発明においては、界面活性剤の含有量は、好ましくは１０質量％以下、より好ましくは５質量％以下、さらに好ましくは２．５質量％以下、さらに好ましくは２質量％以下、さらに好ましくは１質量％以下、さらに好ましくは０．５質量％以下とする。
また、本発明の好ましい実施の形態では、界面活性剤を含有しない。
本発明の被膜は、界面活性剤を含まずとも安定な海島構造を形成することができる。
そのため、本発明の海島構造を有する被膜は、界面活性剤フリーの形態とすることができる。
【０１１９】
＜２＞被膜を形成する組成物
本発明は、肌に塗布することによって上述の本発明の海島構造を有する被膜を肌上に形成することができる組成物にも関する。
本発明の組成物は、上述の両親媒性コポリマー及び水溶性高分子及び／又はその塩と、水を含有する。
肌へ塗布することで、組成物中の水が蒸発し、両親媒性コポリマーと水溶性高分子が相分離を起こす。この相分離の結果、本発明の被膜が肌上に形成される。なお、相分離後においては、組成物中の水及びポリオールは水溶性高分子が形成する水性ゲルに取り込まれる。
以下、本発明の組成物についてさらに詳述する。なお、本発明の組成物については、上記＜１＞の項目に記載した本発明の被膜に関する事項を適用することができる。
【０１２０】
本発明の組成物において、両親媒性コポリマーの含有量は、好ましくは０．０１〜１０質量％、より好ましくは０．０５〜７質量％、さらに好ましくは０．１〜５質量％、さらに好ましくは０．５〜３質量％である。
両親媒性コポリマーの含有量が前記範囲である本発明の組成物によれば、弾力性に優れべたつきの少ない被膜を肌上に形成することができる。
【０１２１】
本発明においては、組成物全体に占める前記水溶性高分子の割合は、好ましくは０．００１〜１０質量％、より好ましくは０．００５〜５質量％、さらに好ましくは０．０１〜１質量％、さらに好ましくは０．０５〜０．５質量％である。
水溶性高分子の含有量が前記範囲である本発明の組成物によれば、保湿性と柔軟性に優れた被膜を肌上に形成することができる。
【０１２２】
本発明の好ましい実施の形態では、水溶性高分子と両親媒性コポリマーの含有量の質量比は、好ましくは１：１００〜１：２、より好ましくは１：５０〜１：５、さらに好ましくは１：３０〜１：１０、さらに好ましくは１：２５〜１：１５である。
水溶性高分子と両親媒性コポリマーの含有量の質量比が前記範囲である本発明の組成物によれば、均一性の高い被膜を形成することができる。
【０１２３】
本発明においては、海相と島相の分離を促進・抑制するポリオールを含むことが好ましい。
すなわち、本発明の好ましい実施の形態では、水性ゲルと両親媒性コポリマーの相分離を促進するポリオール（以下、促進性ポリオールともいう）及び／又は水性ゲルと両親媒性コポリマーの相分離を抑制するポリオール（以下、抑制性ポリオール）を含む。また、促進性ポリオールと抑制性ポリオールを両方含むことが特に好ましい。
このようなポリオールを含有する本発明の組成物によれば、均一性の高い海島構造を有する被膜を肌上に形成することができる。
【０１２４】
促進性ポリオールとしては、親水性部分にポリエーテル鎖を持つ非イオン性界面活性剤の水溶液と混合することにより、該水溶液の曇点を上昇させるポリオールを好ましく例示することができる。このような促進性ポリオールとしては、１，３−ブチレングリコール及びポリエチレングリコールを好ましく例示することができる。
このようなポリオールを用いることで、より均一性の高い被膜を形成することが可能になる。
【０１２５】
本発明においては、本発明の組成物全体における促進性ポリオールの含有量は、好ましくは０．１〜３０質量％、より好ましくは１〜２５質量％、さらに好ましくは３〜２０質量％、さらに好ましくは５〜１５質量％である。
本発明の組成物全体における促進性ポリオールの含有量を前記範囲とすることによって、形成する被膜の均一性をより向上させることができる。
【０１２６】
抑制性ポリオールとしては、親水性部分にポリエーテル鎖を持つ非イオン性界面活性剤の水溶液と混合することにより、該水溶液の曇点を下降させるポリオールを好ましく例示することができる。このような抑制性ポリオールとしては、グリセリン、ジグリセリン、ソルビトール及びマルチトールを好ましく例示することができる。
このようなポリオールを用いることで、より均一性の高い被膜を形成することが可能になる。
【０１２７】
本発明の組成物全体における抑制性ポリオールの含有量は、好ましくは０．５〜３０質量％、より好ましくは１〜２５質量％、さらに好ましくは５〜２０質量％、さらに好ましくは８〜１５質量％である。
促進性ポリオールの含有量を前記範囲とすることによって、形成する被膜の均一性をより向上させることができる。
【０１２８】
なお、本発明において曇点とは、透明または半透明な液体において、温度変化によって相分離が起き、その結果不透明になる温度のことを言い、特に非イオン系界面活性剤の水溶液を加温した際に溶質が水と分離し始める温度のことを言う。
親水性部分にポリエーテル鎖を持つ非イオン性界面活性剤の水溶液の曇点を上昇させるか、それとも下降させるかは、具体的に以下の方法により確認することができる。
親水性部分にポリエーテル鎖を持つ非イオン性界面活性剤の水溶液を加温し、該水溶液が白く濁り始める温度、すなわち曇点を記録する。次に該水溶液にポリオールを加えて混合したものを加温し、同様に曇点を記録する。
ポリオールを加える前の水溶液よりも、加えた後の水溶液の方が、曇点が高い場合には、加えたポリオールは「該水溶液の曇点を上昇させた」と評価する。
反対に、ポリオールを加える前の水溶液よりも、加えた後の水溶液の方が、曇点が低い場合には、加えたポリオールは「該水溶液の曇点を下降させた」と評価する。
【０１２９】
上述の曇点の計測に用いる、親水性部分にポリエーテル鎖を持つ非イオン性界面活性剤としては、ポリエチレングリコールを親水性部分に持つ非イオン系界面活性剤を好ましく例示することができる。
このような非イオン系界面活性剤として具体的には、ポリオキシエチレンナレイルエーテル（ＰＯＥ（ｎ）ＯＥ，ｎ＝３，１０，１５，２０，２３）（日本エマルジョン（株）製）、ＰＯＥ（２０）ソルビタンモノステアラート（東邦化学（株）製）、ＰＯＥ（２０）グリセリンモノステアラート（理研ビタミン（株）製）、ＰＯＥ（１０）モノステアラート（日光ケミカルズ（株）製）、ポリグリセリン（６）モノラウラート（阪本薬品（株）製）を例示することができる。
【０１３０】
本発明においては、促進性ポリオールと抑制性ポリオールの質量比は、好ましくは１０：１〜１：１０、より好ましくは６：１〜１：５、さらに好ましくは４：１〜１：３、さらに好ましくは３．５：１〜１：２．５、さらに好ましくは１．６：１〜１：１である。
促進性ポリオールと抑制性ポリオールの質量比を前記範囲とすることによって、高い安定性の海島構造を有する被膜を形成することができる組成物を提供することができる。
【０１３１】
本発明においては、促進性ポリオールと抑制性ポリオールの総質量と、両親媒性コポリマーの含有質量の比は、５：１〜２０：１、より好ましくは７：１〜１５：１、さらに好ましくは８：１〜１２：１である。
促進性ポリオールと抑制性ポリオールの総質量と、両親媒性コポリマーの質量の比を前記範囲とすることによって、高い安定性の海島構造を有する組成物を提供することができる。
【０１３２】
また、本発明においては、促進性ポリオールと抑制性ポリオールの総質量と、両親媒性コポリマーと水溶性高分子の総質量の比は、５：１〜２０：１、より好ましくは７：１〜１５：１、さらに好ましくは８：１〜１２：１である。
促進性ポリオールと抑制性ポリオールの総質量と、両親媒性コポリマーの質量の比を前記範囲とすることによって、高い安定性の海島構造を有する組成物を提供することができる。
【０１３３】
本発明の好ましい実施の形態では、促進性ポリオール、抑制性ポリオール及び両親媒性コポリマーの３成分の総量における促進性ポリオールの含有量が、好ましくは１０〜８０質量％、より好ましくは２０〜７０質量％、さらに好ましくは３０〜７０質量％、さらに好ましくは４０〜６０質量％、さらに好ましくは４０〜５５質量％である。
促進性ポリオールの含有量を前記範囲とすることによって、組成物中に沈殿が生じることを防ぎ、組成物の安定性を向上させることができる。また、このような形態の組成物は、保湿性と柔軟性に優れた被膜を形成することができる。
【０１３４】
また、本発明の好ましい実施の形態では、促進性ポリオール、抑制性ポリオール及び両親媒性コポリマーの３成分の総量における抑制性ポリオールの含有量が、好ましくは１０〜８０質量％、より好ましくは２０〜７０質量％、より好ましくは３０〜６０質量％、さらに好ましくは３５〜５０質量％である。
抑制性ポリオールの含有量を前記範囲とすることによって、組成物中に沈殿が生じることを防ぎ、組成物の安定性を向上させることができる。また、このような形態の組成物は、保湿性と柔軟性に優れた被膜を形成することができる。
【０１３５】
また、本発明の好ましい実施の形態では、促進性ポリオール、抑制性ポリオール及び両親媒性コポリマーの３成分の総量における両親媒性コポリマーの含有量が、好ましくは１〜５０質量％、より好ましくは３〜２０質量％、さらに好ましくは５〜１５質量％、さらに好ましくは８〜１２質量％である。
両親媒性コポリマーの含有量を前記範囲とすることによって、肌に塗布しやすい粘性を有する組成物を提供することができる。また、このような形態の組成物は、保湿性と柔軟性に優れた被膜を形成することができる。
【０１３６】
本発明の好ましい形態では、促進性ポリオール、抑制性ポリオール及び両親媒性コポリマーの３成分の総量において、促進性ポリオールの含有量が２０〜７０質量％であり、抑制性ポリオールの含有量が２０〜７０質量％であり、両親媒性コポリマーの含有量が５〜２０質量％である。
このような実施の形態とすることのよって、組成物の安定性を向上させることができる。
【０１３７】
また、促進性ポリオール、抑制性ポリオール及び両親媒性コポリマーの３成分の総量における促進性ポリオールの含有量、抑制性ポリオールの含有量及び両親媒性コポリマーの含有量を前記範囲に調整することによって、本発明の組成物によって形成される被膜における島粒子の長軸短軸比及び平均粒子径を前記＜１−３＞の項目に記載した好ましい範囲に調整することが可能になる。
【０１３８】
本発明の組成物は、原料を常温において撹拌混合することによって製造することができる。
【０１３９】
本発明の組成物における水の含有量は、好ましくは６０〜９９質量％、より好ましくは７０〜９５質量％、さらに好ましくは８０〜９０質量％である。
水の含有量が前記範囲である本発明の組成物を肌に塗布することによって、容易に本発明の被膜を肌上に形成することが可能になる。
【０１４０】
＜３＞肌上に被膜を形成する方法
本発明は、上述の本発明の被膜を肌上に形成する方法にも関する。
本発明の方法は、本発明の組成物を肌に塗布することを特徴とする。塗布により組成物中の水が蒸発することによって、水溶性高分子が形成する水性ゲルと両親媒性コポリマーが相分離を起こす。この相分離の結果、本発明の海島構造を有する被膜を肌上に形成することができる。
【０１４１】
本発明においては、両親媒性コポリマーと水性ゲルの相分離を促進するポリオール及び／又は前記水性ゲルと前記両親媒性コポリマーの相分離を抑制するポリオールを含む水溶液を用いることが好ましい。
このような水溶液を用いることによって、均一性に優れた被膜を肌上に形成することができる。
【０１４２】
また、本発明の組成物においては、オイル・ワックス類、炭化水素類、高級脂肪酸類、高級アルコール類、合成エステル油類、シリコーン系油剤類などの油剤の含有量は、好ましくは２質量％以下、さらに好ましくは１質量％以下、さらに好ましくは０．５質量％以下とする。
また、本発明の好ましい実施の形態では、油剤を含有しない。
【０１４３】
また、本発明の組成物においては、界面活性剤の含有量は、好ましくは２質量％以下、さらに好ましくは１質量％以下、さらに好ましくは０．５質量％以下とする。
また、本発明の好ましい実施の形態では、界面活性剤を含有しない。
【０１４４】
本発明の方法における組成物と被膜の好ましい形態は上記＜１＞及び＜２＞の項目に記載した通りである。
【実施例】
【０１４５】
＜製造例＞
表１に示すように、キサンタンガムと両親媒性コポリマーの含有量を固定して、１，３−ブチレングリコール（促進性ポリオール）及びグリセリン（抑制性ポリオール）の含有量を種々変更して、実施例１〜２１の本発明の組成物を調製した。それぞれの実施例における１，３−ブチレングリコールとグリセリンの含有量は、キサンタンガムと両親媒性コポリマーの総量との関係で、図１に示す３成分系相図で表されるように調整した。
なお、両親媒性コポリマーとしては、疎水性モノマーであるグリセリルジイソステアレートメタクリレートと、親水性モノマーであるメタクリル酸メトキシＰＥＧ−２３を、およそ３：７のモル比で共重合させた、平均分子量６１０００の（グリセリルジイソステアレートメタクリレート／メタクリル酸メトキシＰＥＧ−２３）コポリマーを用いた。
また、以下の試験例においては、顕微鏡による海島構造の観察を容易にするために、蛍光プローブ「ＮＢＤ−ＣＯＣｌ」を化学的に導入した（グリセリルジイソステアレートメタクリレート／メタクリル酸メトキシＰＥＧ−２３）コポリマーを用いて組成物を調製した。
【０１４６】
【表１】
2016210919.tif 000027
【０１４７】
＜試験例１＞被膜の海島構造の観察
約０．５ｇの実施例１〜２１の組成物をスライドガラス上の約１．５ｃｍ×１．５ｃｍの範囲に塗布し、４０℃で３日間放置し組成物中の水分を蒸発させることで、スライドガラス上に被膜を形成した。このようにして形成した実施例１〜２１の被膜の構造を共焦点レーザー走査顕微鏡によって観察した。
その結果、何れの組成物も海島構造を形成していた。図２に実施例３、４、６、９、１１、１２、１３、１７、１８、２０、２１の組成物の顕微鏡写真を示す。
【０１４８】
図２に示すように、実施例１３、１７及び１８の組成物中では島粒子の凝集が見られ、平均粒子径が１０μｍを越える島粒子や、長軸短軸比が０．５未満の島粒子が多く観察された。
一方、実施例１〜１２の組成物は何れも島粒子の凝集が見られず、平均粒子径が１〜５μｍの微細な島粒子の個数粒度分布が８０％以上であった。
この結果は、図１の３成分系相図に示した成分の総量における水溶性高分子と両親媒性コポリマーの総量が１５質量％以下である組成物は、島粒子の凝集を起こしにくいことを示している。
【０１４９】
また、島粒子の凝集が見られず、平均粒子径が１〜５μｍの微細な島粒子の個数粒度分布が８０％以上であった実施例１〜１２の被膜における海相と島相の面積比は、６：４〜７：３であった。
【０１５０】
＜試験例２＞官能評価
実施例１の組成物を４８人の評価者に使用させ、肌に塗布した後に肌上に形成される被膜について、しっとり感、弾力感、やわらかさ、もちもち感、ふっくら感、べたつきについて図３に示すように７点満点で評価させた。また、比較対象として市販の化粧水及び乳液を使用させた。結果は図３に示す。
なお、化粧水としては、水を主として含み、ポリオール、既知の水溶性高分子、防腐剤及びエキス類を含む一般的なものを使用した。また、乳液としては油相成分としてミネラルオイル、マカデミアナッツ油等を含む水中油型乳化化粧料を使用した。
【０１５１】
図２に示すように、実施例１の組成物を肌に塗布した後に形成される被膜については、しっとり感、弾力感、やわらかさ、もちもち感、ふっくら感の項目について油剤を含む乳液と同等かそれ以上の高評価を得た。
また、図２に示すように、実施例１の組成物が形成する被膜は、べたつき感が乳液と比して著しく低く、化粧水と同程度であった。
【０１５２】
この結果は、本発明の組成物は水性成分を主体とするにも関わらず、油剤を含むミルクのような感触を有する被膜を肌上に形成することができることを示している。特に、本発明の組成物は、水溶性の成分を主とした化粧料では達成が困難である、保湿性と柔軟性の両立を実現することができることを示している。
また、この結果は、本発明の組成物は水性成分を主として構成されているため、油剤を含む化粧料に見られるべたつき等のデメリットが少ないことを示している。
【０１５３】
＜製造例３＞
表２の処方に従って実施例２２及び２３の本発明の組成物を調整した。
【０１５４】
【表２】
2016210919.tif 000028
【０１５５】
実施例２２及び２３の組成物が形成する被膜を試験例２と同様の手法によって顕微鏡によって観察した。その結果、実施例１〜１２の被膜と同様に、何れも島粒子の凝集が見られず、平均粒子径が１〜５μｍの微細な島粒子の個数粒度分布が８０％以上であった。
この結果は、両親媒性コポリマーとしてポリクオタニウム−６１及び（メタクリル酸グリセリルアミドエチル／メタクリル酸ステアリル）コポリマーを用いた場合であっても、良好な海島構造を有する被膜を形成することができることを示している。すなわち、疎水性モノマーから誘導される構成単位と、親水性モノマーから誘導される構成単位を有する両親媒性コポリマーの種類を種々変更した場合であっても、水溶性高分子と水と組み合わせることによって、海島構造を有する被膜を形成することが可能な組成物を調製することができることを示している。
【産業上の利用可能性】
【０１５６】
本発明はオイルフリーの化粧料に応用することができる。
【符号の説明】
【０１５７】
１  実施例１
２  実施例２
３  実施例３
４  実施例４
５  実施例５
６  実施例６
７  実施例７
８  実施例８
９  実施例９
１０  実施例１０
１１  実施例１１
１２  実施例１２
１３  実施例１３
１４  実施例１４
１５  実施例１５
１６  実施例１６
１７  実施例１７
１８  実施例１８
１９  実施例１９
２０  実施例２０
２１  実施例２１
【図１】
2016210919.tif 000036
【図２】
2016210919.tif 000037
【図３】
2016210919.tif 000038